(57)【要約】【課題】  通常診察のみならず、在宅診察であっても診察予約を適切に行う。【解決手段】  予約手段２６により、医師別に、記憶手段に格納した通常診察テーブル２３での記憶内容を、カレンダー形式にて表示させる通常診察予約画面１７ａと、前記記憶手段２に格納した在宅診察テーブル２４での記憶内容を、カレンダー形式にて表示させる在宅診察予約画面１７ｂのいずれか一方に切替可能に表示させ、診療時間の各診察区分は、設定された診察種別以外の種別では予約不可とすることにより、通常診察予約と在宅診察予約を行えるようにする。【選択図】図１
2005316869.tif 000002
【特許請求の範囲】
【請求項１】
医師別に、１日の診察時間を、所望の時間単位で複数の診察区分に区分けすると共に、各診察区分での診察人数と、各診察区分が通常診察又は在宅診察のいずれの診察種別であるのかを設定可能な設定手段と、
前記設定手段で設定した内容のうち、少なくとも、通常診察に関するデータを記憶する通常診察テーブル、及び、在宅診察に関するデータを記憶する在宅診察テーブルが格納される記憶手段と、
医師別に、前記記憶手段に格納した通常診察テーブルでの記憶内容を、カレンダー形式にて表示させる通常診察予約画面と、前記記憶手段に格納した在宅診察テーブルでの記憶内容を、カレンダー形式にて表示させる在宅診察予約画面のいずれか一方に切替可能に表示する表示手段と、
前記診療時間の各診察区分は、設定された診察種別以外の種別では予約不可とすることにより、通常診察予約と在宅診察予約を行えるようにする予約手段とを備えたことを特徴とする診察予約装置。
【請求項２】
前記設定手段は、１日の診察時間を区分けする各診察区分の時間単位を変更可能であり、変更時の設定時間の重複を防止する重複防止機能を備え、各診察区分をさらに複数の時間区分に分割すると共に、各時間区分での診察可能人数を設定可能であり、
前記表示手段は、前記設定手段で設定された各診察区分を、カレンダー形式で表示した１日分の領域に色分けして表示し、各診察区分を操作することにより、前記時間区分を診察予定人数を表示可能とし、
前記予約手段は、診察予定人数が予約可能人数になることにより予約不可とすると共に、診察区分の全ての時間区分で診察予定人数が予約可能人数となることにより、診察区分を色彩変更すると共に操作不可としたことを特徴とする請求項１に記載の診察予約装置。
【請求項３】
医師別に、前記各診察区分の休診を設定可能とする第２の設定手段を備え、
前記予約手段は、カレンダー形式で表示した１日分の診察区分のうち、前記第２の設定手段で休診と設定された診療区分を選択不可としたことを特徴とする請求項１又は２に記載の診察予約装置。
【発明の詳細な説明】
【技術分野】
【０００１】
本発明は、医療機関において診察の予約を行うための診察予約装置に関するものである。
【背景技術】
【０００２】
従来、診察の予約を行うために、所定の単位時間で分割した時間枠で、医師が診察可能な患者数に基づいて、診察する患者を割り当てるようにした受付システムが開示されている（例えば、特許文献１，２参照）。
【０００３】
また、診療日を単位予約枠で区切った予約枠データ上で、予約可能時間帯と予約不可能時間帯とを区別して表示し、予約可能時間帯でのみ予約を受け付けるようにした予約支援システムが開示されている（例えば、特許文献３参照）。このシステムでは、医師の不在予定を時間単位で登録可能となっている。
【特許文献１】特開平８−２２４９１号公報
【特許文献２】特許第２５１７４８０号公報
【特許文献３】特開２００２−１１７１３６号公報
【０００４】
しかしながら、前記いずれの特許文献でも、在宅診察を考慮したものはない。在宅診察を行う場合、まとまった時間が必要であり、通常の診察と完全に区別する必要がある。例えば、病院と患者の住居とを往復するための移動時間を考慮しなければならないため、診察時間を隣接して設定することは物理的に無理であり、前記特許文献に記載された発明では対応することは不可能である。
【０００５】
特に、前者の受付システムでは、所定時間単位に分割された時間枠で、予約可能か否かを区別しているだけであり、各時間枠自体の時間幅を自由に変更できるわけではない。
【０００６】
また、後者の予約支援システムでは、予約画面に日付と予約時間枠とが表示されてしまうので、１画面で表示される期間が１週間分と短く一覧性に乏しい。また、設定可能な時間幅を変更する機能はなく、設定の自由度がない。
【発明の開示】
【発明が解決しようとする課題】
【０００７】
本発明は、通常診察のみならず、在宅診察であっても診察予約を適切に行うことができる機能を備えた診察予約装置を提供することを課題とする。
【課題を解決するための手段】
【０００８】
本発明は、前記課題を解決するための手段として、
診察予約装置を、
医師別に、１日の診察時間を、所望の時間単位で複数の診察区分に区分けすると共に、各診察区分での診察人数と、各診察区分が通常診察又は在宅診察のいずれの診察種別であるのかを設定可能な設定手段と、
前記設定手段で設定した内容のうち、少なくとも、通常診察に関するデータを記憶する通常診察テーブル、及び、在宅診察に関するデータを記憶する在宅診察テーブルが格納される記憶手段と、
医師別に、前記記憶手段に格納した通常診察テーブルでの記憶内容を、カレンダー形式にて表示させる通常診察予約画面と、前記記憶手段に格納した在宅診察テーブルでの記憶内容を、カレンダー形式にて表示させる在宅診察予約画面のいずれか一方に切替可能に表示する表示手段と、
前記診療時間の各診察区分は、設定された診察種別以外の種別では予約不可とすることにより、通常診察予約と在宅診察予約を行えるようにする予約手段とを備えた構成としたものである。
【０００９】
この構成により、通常診察予約と在宅診察予約とを誤って同一診察区分で行うことを確実に防止することができる。すなわち、通常診察予約とした診察区分では、在宅診察予約ができなくなり、又、在宅診察予約とした診察区分では、通常診察予約ができなくなる。
【００１０】
前記設定手段は、１日の診察時間を区分けする各診察区分の時間単位を変更可能であり、変更時の設定時間の重複を防止する重複防止機能を備え、各診察区分をさらに複数の時間区分に分割すると共に、各時間区分での診察可能人数を設定可能であり、
前記表示手段は、前記設定手段で設定された各診察区分を、カレンダー形式で表示した１日分の領域に色分けして表示し、各診察区分を操作することにより、前記時間区分を診察予定人数を表示可能とし、
前記予約手段は、診察予定人数が予約可能人数になることにより予約不可とすると共に、診察区分の全ての時間区分で診察予定人数が予約可能人数となることにより、診察区分を色彩変更すると共に操作不可とするのが好ましい。
【００１１】
この構成により、予約が可能か否かをカレンダー形式で表示した１日分の診察区分の色彩を見れば、簡単に把握することができる。また、診察区分のいずれの時間区分での予約が可能か否かは、診察区分を操作して時間区分を表示させることにより把握することができる。各時間区分での予約が可能か否かも、各時間区分での診察可能人数が表示されているか否かで簡単に把握することができる。
【００１２】
医師別に、前記各診察区分の休診を設定可能とする第２の設定手段を備え、
前記予約手段は、カレンダー形式で表示した１日分の診察区分のうち、前記第２の設定手段で休診と設定された診療区分を選択不可とするのが好ましい。
【発明の効果】
【００１３】
本発明によれば、予約手段により通常診察と在宅診察を分けて予約できるようにしているので、従来対応不可能であった２種類の予約を重複なく適切に行うことが可能となる。
【発明を実施するための最良の形態】
【００１４】
以下、本発明に係る実施形態を添付図面に従って説明する。
【００１５】
図１は、本実施形態に係る診察予約装置を示す。この診察予約装置は、入出力部１、記憶部２、及び、制御部３を備える。
【００１６】
入出力部１は、表示部４と入力部５とで構成されている。
【００１７】
表示部４には、液晶ディスプレイ等が使用できる。また、表示部４には、図２に示す医師スケジュール入力画面６を表示させることができる。医師スケジュール入力画面６は、診療科選択欄７、医師名選択欄８、医師スケジュールカレンダー９、休診設定欄１０、予約確認リスト１１等で構成されている。診療科選択欄７、医師名選択欄８には、予め登録した診療科名、医師名がプルダウン表示される。該当するものをマウス等で選択することができる。医師スケジュールカレンダー９には、診療科選択欄７、医師名選択欄８で選択した医師に対応する休診スケジュールが表示される。休診設定欄１０は、開始時間設定欄１２、終了時間設定欄１３、休診事由設定欄１４を備え、その下方には、医師スケジュールカレンダー９でクリック操作により選択された日付と、前記各設定欄で設定された内容とがリスト形式で一覧表示される。一覧表示された内容を確認後、登録ボタン１５を操作することにより、医師スケジュールカレンダー９にその内容が反映され、取消ボタン１６を操作することにより入力内容が取り消される。予約確認リスト１１には、医師スケジュールカレンダー９で選択された日付に対応する、後述する予約スケジュール入力画面１７で登録された予約内容が一覧表示される。予約の入っている時間帯は、前記休診設定欄１０での登録は不可である。
【００１８】
また、表示部４には、図３に示す予約スケジュール入力画面１７を表示させることができる。予約スケジュール入力画面１７は、予約種別選択欄１８、患者情報欄１９、診療科／医師欄２０、予約カレンダー２１、予約一覧表２２等で構成されている。予約種別選択欄１８は、通常１８ａ、在宅１８ｂのいずれかを選択できるようになっている。また、複数日選択１８ｃをクリックしてチェックしておくことにより、複数の日付を連続して予約することが可能となっている。また、予約スケジュール入力画面１７では、初期表示は通常すなわち通常診察（病院等で医師が通常行っている診察）を示す通常診察予約画面１７ａが表示される。在宅すなわち在宅診察（医師が患者の住居まで直接出かけて行う診察）が選択されれば、予約スケジュール入力画面１７は、図４に示す在宅診察予約画面１７ｂに切り替わる。患者情報欄１９は、患者ＩＤ、患者氏名等で構成されている。患者ＩＤを入力すれば、その他の項目を記憶部２から呼び出して表示させることが可能である。診療科／医師欄２０では、診療科、医師をプルダウン表示させて選択することが可能である。予約カレンダー２１には、診療科／医師欄２０で選択した医師のスケジュールが表示される。なお、通常予約画面１７ａと在宅予約画面１７ｂでは、後述するように、診察区分を重複して設定することは不可となっている。
【００１９】
入力部５としては、キーボード、マウスのほか、前記表示部４をタッチパネルで構成したもの等、種々の入力手段が使用できる。
【００２０】
記憶部２には、通常診察テーブル２３、在宅診察テーブル２４のほか、スケジュールテーブルを含む各種テーブルが格納されている。通常診察テーブル２３及び在宅診察テーブル２４では、医師別にデータが記憶されている。但し、実際のデータテーブルの構成は、図５に示すように、日付、開始時間、終了時間、診療科、医師名、診察区分、用件からなる内容となっており、医師名及び診察区分に基づいて、前記各テーブル２３，２４が得られる。また、前記スケジュールテーブルとしては、診察時間テーブル、医師スケジュールテーブル等が含まれる。診察時間テーブルは、図６に示すように、曜日、区分（朝、昼、夕、夜）、（診察）開始時間、（診察）終了時間、なし／通常／在宅の各項目で構成されている。なし／通常／在宅の「なし」は、該当する医師の診察がない休診を意味する。「通常」は、病院等、該当する医師が通常行っている診察を意味する。「在宅」は、該当する医師が患者の住居まで直接出かけて行う診察を意味する。
【００２１】
制御部３は、設定部２５、予約部２６等で構成されている。
【００２２】
設定部２５では、前記入力部５で入力された医師スケジュール、診察時間等を設定する。すなわち、医師スケジュールの設定では、図２に示す医師スケジュール入力画面６での入力内容に基づいて、日付、開始時間、終了時間、診療科、医師名、診察区分（通常、在宅、なし）を設定し、記憶部２の医師スケジュールテーブルに記憶させる。診察時間の設定では、図６に示す診察時間に関する設定画面での入力内容に基づいて、曜日、診察区分（午前、午後、夕方、夜間）、診察有無（診察（通常）、在宅、なし）、開始時間、終了時間を設定する。診察区分の設定では、各区分同士が重複して設定することはできないようになっており、その場合にはエラーが出力される。また、各診察区分は、自由に設定可能な複数の時間区分で構成されており、時間区分の設定も重複なく、自由に行えるようになっている。さらに、診察有無では、診察（通常）、在宅、なしのいずれかを選択できるようになっている。診察（通常）が選択された診療区分では、その診療区分に含まれる、いずれの時間区分であっても在宅診察予約が不可となり、又、在宅が選択された診療区分では通常診察が不可となる。なお、隣接する診療区分で、通常と在宅が設定される場合には、移動時間を考慮するようにしてもよい。例えば、隣接する診療区分間で連続する時間区分があれば、診察可能な人数を１人にする等により移動時間を考慮することが可能である。また、診察時間の設定では、図６に示すように、曜日を基準とした１週間単位で行うようにしたが、１ヶ月単位等、自由に設定変更することが可能である。
【００２３】
予約部２６では、予め設定部２５で設定した医師別のスケジュールや診察時間の区分（診察区分）に従い、図２に示す予約スケジュール入力画面１７での入力内容に基づいて、担当医師のスケジュールに患者の予約を設定し、通常診察テーブル２３又は在宅診察テーブル２４に記憶させる。
【００２４】
次に、前記構成の診察予約装置の動作（予約）について、図７のフローチャートに従って説明する。
【００２５】
まず、図３に示す予約スケジュール入力画面１７で、患者ＩＤ等の患者情報を入力し（ステップＳ１）、診療科及び担当医師を選択する（ステップＳ２、Ｓ３）。そして、記憶部２に記憶した医師スケジュールテーブルを検索し、担当医師のスケジュールを予約カレンダー２１に反映させて表示する（ステップＳ４）。予約カレンダー２１では、診察区分毎に異なる色で表示し、各診察区分でも選択可能なものと、予約済みや休診で選択不可のものとで色を変更して表示する。ここで、診察の種別が通常診察であれば（ステップＳ５：ＹＥＳ）、既に表示済みの画面で予約入力を行い、在宅診察であれば（ステップＳ５：ＮＯ）、予約種別選択欄１８で在宅１８ｂを選択することにより予約カレンダー２１の表示内容を在宅診察の予約用に変更する（ステップＳ６）。
【００２６】
このように、通常診察と在宅診察とで、診療区分が互いに重複しないように設定し、予約入力する場合には、両者で画面を切り替えて表示するようにしているので、誤って予約されることを確実に防止することが可能である。
【００２７】
表示された予約スケジュール入力画面１７で、予約を希望する日付の診察区分がクリック操作されると（ステップＳ７：ＹＥＳ）、その診察区分を構成する時間区分をポップアップ表示させる（ステップＳ８）。ポップアップ表示させた時間区分では、各時間区分毎に既に予約済みの人数が表示されるので、予約を希望する時間区分をクリックすることにより（ステップＳ９）、前記ステップＳ１で入力した患者について、前記ステップＳ３で選択した医師のスケジュールへの書き込みが行われ、予約が完了する（ステップＳ１０）。なお、時間区分の予約人数が予め設定した人数に到達していれば、人数の表示に代えて、「満」の文字が表示される。したがって、「満」と表示された時間区分には予約できないことが一目で判別可能である。また、時間区分での人数表示は、予約済みの人数としたが、予約可能な人数とすることも可能である。
【００２８】
このように、予約スケジュール入力画面１７では、各日付には診療区分が色分け表示されているだけである。しかも、診療区分での予約が可能か否かも、表示された色で判別可能である。したがって、１ヶ月あるいは複数月をまとめて表示させるようにしても、予約可能か否かを大雑把に把握することができる。そして、予約を希望する診療区分をクリック操作すれば、いずれの時間区分で予約可能であるのかの詳細をポップアップ表示させることができる。このため、画面の見やすさを確保しつつ、時間区分での予約も行うことができ、操作性に優れている。
【図面の簡単な説明】
【００２９】
【図１】本実施形態に係る診察予約装置の全体構成を示すブロック図である。
【図２】図１の表示部に表示させた医師スケジュール入力画面を示す図である。
【図３】図１の表示部に表示させた予約スケジュール入力画面を示す図である。
【図４】図１の表示部に表示させた在宅予約画面を示す図である。
【図５】図１の記憶部に記憶させた通常診察テーブル及び在宅診察テーブルの構成図である。
【図６】図１の記憶部に記憶させた診察時間テーブルの構成図である。
【図７】図１の制御部で行う予約処理を示すフローチャート図である。
【符号の説明】
【００３０】
１…入出力部
２…記憶部（記憶手段）
３…制御部
４…表示部
５…入力部
６…医師スケジュール入力画面
７…診療科選択欄
８…医師名選択欄
９…医師スケジュールカレンダー
１０…休診設定欄
１１…予約確認リスト
１２…開始時間設定欄
１３…終了時間設定欄
１４…休診事由設定欄
１５…登録ボタン
１６…取消ボタン
１７…予約スケジュール入力画面
１７ａ…通常診察予約画面
１７ｂ…在宅診察予約画面
１８…予約種別選択欄
１９…患者情報欄
２０…診療科／医師欄
２１…予約カレンダー
２２…予約一覧表
２３…通常診察テーブル
２４…在宅診察テーブル
２５…設定部（設定手段）
２６…予約部（予約手段）
【図１】
2005316869.tif 000003
【図５】
2005316869.tif 000004
【図７】
2005316869.tif 000005
【図２】
2005316869.tif 000006
【図３】
2005316869.tif 000007
【図４】
2005316869.tif 000008
【図６】
2005316869.tif 000009